(57)【特許請求の範囲】
【請求項１】
モータと、
前記モータの回転駆動力をエンジンのクランク軸上のリングギヤに伝達するピニオンと、
抵抗体と、バッテリから前記モータへの前記抵抗体を介した電力供給のオンオフ及び前記ピニオンの前記リングギヤの押し込み位置への移送を行う第一のソレノイドと、が設けられた第一のソレノイドスイッチと、
前記バッテリから前記モータへの電力供給のオンオフを行う第二のソレノイドが設けられ、前記第一のソレノイドスイッチと並列に接続された第二のソレノイドスイッチと、
前記第一のソレノイドスイッチと前記第二のソレノイドスイッチとを前記モータの軸方向に直列的に収納する筐体とを備え、
前記筐体が前記モータを収容するハウジングに組み付けられ、
前記エンジンの初回始動時又はアイドルストップ後の再始動時に、前記第一のソレノイドにより前記モータへの前記抵抗体を介した電力供給のオンと前記リングギヤの噛み込み位置への移送とをした後に、前記第二のソレノイドにより前記モータへの電力供給をオンすることを特徴とするエンジン始動装置。
【請求項２】
請求項１において、
前記抵抗体を巻き回して、前記第一のソレノイドの一部を構成したことを特徴とするエンジン始動装置。
【請求項３】
請求項１において、
前記筐体の前記ピニオンの側には、前記第一のソレノイドスイッチが設けられ、
前記筐体の他端側に、前記バッテリからの供給電力を前記第一のソレノイドスイッチに入力するための入力端子と、前記第一のソレノイドスイッチからの供給電力を前記モータへ出力するための出力端子と、を有する端子部が設けられ、
前記第一のソレノイドスイッチと前記端子部との間に前記第二のソレノイドスイッチが設けられたことを特徴とするエンジン始動装置。
【請求項４】
請求項２において、
前記第一のソレノイドスイッチと、前記第二のソレノイドスイッチとを、各々分離独立して制御することを特徴とするエンジン始動装置。
【請求項５】
請求項４において、
前記初回始動時は、前記第一のソレノイドにより前記モータへの前記抵抗体を介した電力供給のオンと前記リングギヤの噛み込み位置への移送とをした後に、前記第二のソレノイドにより前記モータへの電力供給をオンし、
前記アイドルストップ後の再始動時は、前記モータへの通電に、前記抵抗体を含んだ前記第一のソレノイドスイッチのみを用いることを特徴とするエンジン始動装置。
【請求項６】
請求項１において、
一つの駆動指示信号により、前記第一のソレノイドにより前記始動電動機のモータへの電力供給のオンと前記リングギヤの噛み込み位置への移送とをし、ある所定の時間が経過した後に、前記第二のソレノイドにより前記モータへの電力供給をオンするとともに、
前記駆動指示信号の停止により、前記リングギヤに移送された前記ピニオンが所定の位置に戻り、前記第一のソレノイドの駆動が停止され、且つ前記第二のソレノイドの駆動が停止されるよう構成されたことを特徴とするエンジン始動装置。
【請求項７】
請求項６において、
前記駆動指示信号が停止された場合、前記第一のソレノイドの駆動が停止されてから所定の時間が経過した後に、前記第二のソレノイドの駆動が停止されるよう構成されたことを特徴とするエンジン始動装置。
【発明の詳細な説明】
【技術分野】
【０００１】
本発明は、エンジンの始動装置に関し、特には始動電動機の通電を２段階に分けて制御するもの。
【背景技術】
【０００２】
環境対策及びエネルギー資源の節約のために、自動車を運転中にエンジンの一時停止が許容される所定条件が成立したときに、エンジンに供給する燃料を遮断することによりアイドリングを自動的にストップさせることが考えられており、既に一部の自動車において実施されている。
【０００３】
このアイドルストップに対応した自動車において、アイドルストップ後の再始動の度にエンジン始動装置を駆動させることが必要となる。このエンジン始動装置を駆動する際に、公知の従来のエンジン始動装置では、図３に示す様にモータ通電へのメイン接点を閉じる時に、バッテリからの突入電流と呼ばれる大電流が流れるため、バッテリ端子電圧が大きく低下し、オーディオやナビゲーションシステムや電動パワーステアリング等の電気機器の動作するために必要な最低電圧を下回ってしまい、いわゆる瞬間停止が起きることがある。
【０００４】
この瞬間停止防止を低減する技術として特許文献１の様に、モータ通電時の突入電流を制御するために、バッテリと始動電動機のメイン接点間に直列に抵抗体を配置し、まず抵抗体のみでモータに通電することにより前記突入電流を低減し、低減された電流によりモータが回転することによりモータの逆起電力が発生した後に前記抵抗体を短絡することにより、前記バッテリの全電圧をモータに印加する始動電動機が公知である。
【先行技術文献】
【特許文献】
【０００５】
【特許文献１】特開２００９−２８７４５９号公報
【発明の概要】
【発明が解決しようとする課題】
【０００６】
ところが特許文献１に示される従来の技術では、モータのメイン接点を開閉させる第一のソレノイドスイッチと、抵抗体を含んでかつ抵抗体を短絡させるための接点を含んだ第二のソレノイドスイッチとが別体であり、かつモータの周方向に並列で配置されている。このような構成では、モータの中心軸に対して、異なる二つのソレノイドスイッチが配置されているため、エンジンへの搭載性において大きな寸法上の制約が発生する。通常の始動電動機は、一つのモータに対し一つのソレノイドスイッチを有しており、エンジンへの搭載時に始動電動機の周囲に配置されている様々な装着部品との干渉を避けるために、ソレノイドスイッチをモータの中心軸に対して回転させることにより、前記装着部品との干渉を避けて解決できていた。
【０００７】
しかし従来技術の始動電動機では、モータ中心に対して二つの異なるソレノイドスイッチが並列に配置されるため、様々な装着部品との干渉を回避することが困難なケースが発生すると言う問題がある。
【０００８】
また従来の技術の様に、モータ回路に前記メイン接点と直列に前記抵抗体を接続すると、前記抵抗体を含んだ第二のソレノイドスイッチと前記メイン接点を開閉する第一のソレノイドスイッチとの間の配線は、前記抵抗体を短絡させた後に前記第一のソレノイドスイッチと第二のソレノイドスイッチを閉して前記バッテリの全電圧をモータに印加させてエンジンを始動する際のメイン電流回路の一部となるので、細い断面の配線を採用できない。従いエンジンへの搭載時の搭載性改善を目的に、前記第一のソレノイドスイッチと前記抵抗体を含んだ第二のソレノイドスイッチを直列に一体構成としようとした際に、前記第一のソレノイドスイッチと前記第二のソレノイドスイッチとを直列に接続する部材の断面を小さくできず、前記一体構成の弊害となっていた。  
本発明の目的は、搭載性が良好なエンジンの始動装置を提供することにある。
【課題を解決するための手段】
【０００９】
上記課題を解決するため、本発明の望ましい構成の一つは次の通りである。
【００１０】
モータと、前記モータの回転駆動力をエンジンのクランク軸上のリングギヤに伝達するピニオンと、抵抗体と、バッテリから前記モータへの前記抵抗体を介した電力供給のオンオフ及び前記ピニオンの前記リングギヤの押し込み位置への移送を行う第一のソレノイドと、が設けられた第一のソレノイドスイッチと、前記バッテリから前記モータへの電力供給のオンオフを行う第二のソレノイドが設けられ、前記第一のソレノイドスイッチと並列に接続された第二のソレノイドスイッチと、前記第一のソレノイドスイッチと前記第二のソレノイドスイッチとを前記モータの軸方向に直列的に収納する筐体とを備え、前記筐体が前記モータを収容するハウジングに組み付けられ、前記エンジンの初回始動時又はアイドルストップ後の再始動時に、前記第一のソレノイドにより前記モータへの前記抵抗体を介した電力供給のオンと前記リングギヤの噛み込み位置への移送とをした後に、前記第二のソレノイドにより前記モータへの電力供給をオンするようにエンジン始動装置を構成する。
【発明の効果】
【００１１】
本発明では、モータの突入電流を制御することによりバッテリ電圧低下による電気機器の瞬間停止を防止する抵抗体と、抵抗体を介してモータへ通電する接点と、前記抵抗体を介さずにモータへフル通電するための接点を含んだ始動電動機装置において、エンジンへの搭載性を悪化させないエンジン始動装置を提供することにある。
【図面の簡単な説明】
【００１２】
【図１】本発明の一実施例を示す構成図。
【図２】第一の実施例の始動電動機の動作に関わる時間軸波形。
【図３】従来の始動電動機の動作に関わる時間軸波形。
【図４】第二の実施例の始動電動機動作に関わる時間軸波形。
【図５】従来技術で一体構成とした場合の構成図例１。
【図６】従来技術で一体構成とした場合の構成図例２。
【図７】第三の実施例を示す構成図。
【図８】第一の実施例のより具体的な構成図。
【図９】第四の実施例のより具体的な構成図。
【発明を実施するための形態】
【００１３】
以下、第一の実施形態を図面に基づき詳細に説明する。
【００１４】
図１は、本発明の係わる装置の一例を示す説明図であり、始動電動機１は、ハーネス１４にてバッテリ７に接続されており、通電によりモータ２の回転力を出力軸３を介してヘリカルスプイライン（図示せず）により係合された一方向クラッチ４に一体構成されたピニオン５と、ピニオン５をエンジンクランク軸（図示せず）のリングギヤ６に噛み合うように移送するためのリンク棒８と、抵抗体１１を介してモータへの通電を行うサブ接点（１０ａ、１０ｂ、１０ｄ）を備え、且つリンク棒８を駆動する役割とサブ接点を閉路とする役割を備えた可動鉄心１０ｆとを備えた第一のソレノイドスイッチ１０と、前記サブ接点（１０ａ、１０ｂ、１０ｄ）とは並列に接続された、モータ２のメイン接点（１２ａ、１２ｂ、１２ｄ）を備えた第二のソレノイドスイッチ１２とにより構成される。
【００１５】
モータ２は、第二のソレノイドスイッチ１２に構成された固定接点１２ｂに電圧が印加されると、アーマチャ（図示せず）に設置された整流子２ｂにブラシ２ａを介して通電されることにより回転力を発生させる周知のモータである。
【００１６】
ソレノイドアッシー９は、抵抗体１１を備えた第一のソレノイドスイッチ１０と第二のソレノイドスイッチ１２とを、軸方向に直列に配置して一体的に且つ一つの筐体内に構成される。
【００１７】
ハーネス１４とバッテリ７とリングギヤ６を除く上記構成部品は、始動電動機ハウジング（図示せず）に組み付けられ、かつボルト等により固定されている。
【００１８】
モータ２へのメイン接点を備えた第二のソレノイドスイッチ１２は、ソレノイドコイル１２ｃと固定接点１２ａと固定接点１２ｂと可動接点１２ｄとを備えた磁気回路部品（図示せず）により構成され、制御装置１３より配線１２ｅ及び外部接続端子２１及び第二のソレノイドコイルの一方の端１２ｆを介したソレノイドコイル１２ｃへの通電により磁気回路が構築され、可動接点１２ｄの移動により接点が閉じる。ソレノイドコイル１２ｃへの通電を停止すると、バネ（図示せず）力により可動接点１２ｄが所定の位置に戻ることにより接点が開く。
【００１９】
モータ２への突入電流を低減するための抵抗体１１を備えた第一のソレノイドスイッチ１０は、ソレノイドコイル１０ｃと固定接点１０ａと固定接点１０ｂと可動接点１０ｄと抵抗体１１と可動鉄心１０ｆを備えた磁気回路部品（図示せず）により構成され、制御装置１３より配線１０ｅ及び外部接続端子２０及び第一のソレノイドコイルの一方の端１０ｇを介したソレノイドコイル１０ｃへの通電により磁気回路が構築され、可動接点１０ｄの移動によりサブ接点が閉じる。ソレノイドコイル１０ｃへの通電を停止すると、バネ（図示せず）力により可動接点１０ｄが所定の位置に戻ることにより接点が開く。抵抗体１１の片方の端１１ａは第二のソレノイドスイッチ１２の固定接点１２ａに接続され、もう片方の端１１ｂは第一のソレノイドスイッチ１０の固定接点１０ａに接続されている。配線１１ｃは、第一のソレノイドスイッチ１０の固定接点１０ｂと第二のソレノイドスイッチ１２の固定接点１２ｂに接続されている。
【００２０】
また上記ソレノイドコイル１０ｃに通電されることにより、可動鉄心１０ｆが固定鉄心（図示せず）側に吸引されることにより、リンク棒８がピニオン５をリングギヤ６に噛み込ませ、ソレノイドコイル１０ｃへの通電を停止すると、バネ（図示せず）力により、前記可動鉄心１０ｆが所定の位置に戻ることを利用し、リンク棒８を介してリングギヤ６に噛み込んだピニオン５を所定の位置に戻す。
【００２１】
制御装置１３は、必要に応じてエンジンコントロールユニット（図示せず）と通信しながら、配線１０ｅと配線１２ｅを介してソレノイドアッシー９の外部接続端子２０と外部接続端子２１に結線され、また配線１３ａを介してバッテリ７からの電力をソレノイドアッシー９に供給する。制御装置１３内には、一般的にリレー（図示せず）が内臓されており、このリレーの開閉により、ソレノイドアッシー９への通電を制御する。または制御装置１３は、２つのリレーのみで構成されてもよく、各々のリレーはエンジンコントロールユニットなどの制御装置やリレードラーバー（図示せず）などにより、駆動されてもよい。
【００２２】
上記構成において、エンジンを再始動する際の始動電動機１の動作を、図２を用いて説明する。図２は、第一のソレノイドスイッチ１０と第二のソレノイドスイッチ１２のＯｎ−Ｏｆｆ状態と、バッテリ電圧、モータ電流を示した時間軸チャートである。
【００２３】
アイドルストップ後のエンジン再始動要求が発生すると制御装置１３は、まずピニオン５をリングギヤ側に移送するために第一のソレノイドスイッチ１０のソレノイドコイル１０ｃへ通電することにより、可動鉄心１０ｆが固定鉄心（図示せず）側に吸引されることによりリンク棒８を介してピニオン５がリングギヤ６に噛み込むか、または噛み込む様にリングギヤ６の端面に押し付けられる。またこの通電により発生する吸引力により可動接点１０ｄが固定接点１０ａ、１０ｂに当接することによりサブ接点が閉路となり、バッテリ７から抵抗体１１を介した電流がモータ２に通電される。この時の通電電流は抵抗体１１を介しているため、モータ２には制限された電流が流れて、モータ２は低速回転することによりエンジンのクランキングが開始される。
【００２４】
次に、モータが低速回転を開始したある所定の時間が経過した後に、制御装置１３は第二のソレノイドスイッチ１２のソレノイドコイル１２ｃへ通電する。この通電により発生する吸引力により可動接点１２ｄが固定接点１２ａ、１２ｂに当接することによりメイン接点が閉路となり、バッテリ７から抵抗体１１を介した電流とは並列に電流がモータ２に通電され、モータ２は全力でエンジンをクランキングする。
【００２５】
図２のＶ１とＡ１は第一のソレノイドスイッチを作動させた直後のバッテリの電圧と電流を示し、Ｖ２とＡ２は第二のソレノイドスイッチを作動させた直後のバッテリの電圧と電流を示す。図３は、抵抗体１１を備えない従来の始動電動機を作動させた時の時間軸チャートであり、Ｖ１１とＡ１１はメイン接点が閉じた直後のバッテリの電圧と電流である。本発明の構成では、抵抗体１１を介して制限させた電流でモータ２に通電を開始し、モータ２が回転して逆起電力が発生した後にメイン接点を閉じてモータ２に通電するため、Ｖ１とＶ２＞＞Ｖ１１となることにより、バッテリの電圧低下を大幅に防止することができる。
【００２６】
またこの様に、ピニオン５がリングギヤ６に噛み込んだ時に、モータ２への電流を制限しているために、ピニオン５がリングギヤ６への噛み込み直後の衝突エネルギーが緩和されるため、静かなエンジン始動を提供することができるとともに、ピニオン５とリングギヤ６各々のギヤ磨耗やギヤ破損の低減が図れることにより、より長寿命なアイドルストップ車用の始動電動機を提供することができる。
【００２７】
本発明の第二の実施例について、アイドルストップ後のエンジンを再始動する際の始動電動機１の動作を、図４を用いて説明する。
【００２８】
第一のソレノイドスイッチ１０に備えられた抵抗体１１を、エンジンがある所定の時間内で始動可能な抵抗値に設定することにより、アイドルストップ後の再始動時に、第二のソレノイドスイッチ１２を用いることなく、モータ２への通電接点として利用できる。
【００２９】
この際のメイン接点を備えた第二のソレノイドスイッチ１２は、アイドルストップ後の再始動でなく、エンジンの最初の始動などエンジン負荷が大きい時に、抵抗体１１を介さずにバッテリ７の電力を余すことなくモータ２へ供給する時に用いる。
【００３０】
この様な構成でエンジンを再始動する際には、図４に示すようなエンジン再始動中において、モータ２への電力供給中にモータ２への電力供給回路に変化が生じないために、図２に示した様にメイン接点を閉じた時に生じる二度目の電圧低下Ｖ２の発生はなく、より安定したバッテリ電圧を確保できる。
【００３１】
ここで従来技術である、モータ回路へのメイン接点に対し直列に抵抗体を接続する構成で、且つ抵抗体を含んだ第一のソレノイドスイッチとメイン接点を開閉する第二のソレノイドスイッチとを一体で構成した場合の構成例を、図５及び図６に示す。図中の記号の多くは図１の実施形態と同一であり一部説明を省略する。
【００３２】
図５及び図６に記載の配線１７は、前記抵抗体１１を短絡させた後に前記第一のソレノイドスイッチと第二のソレノイドスイッチを閉して前記バッテリの全電圧をモータに印加させてエンジンを始動する際のメイン電流回路の一部となるので細い断面の配線を採用できず、図５及び図６に記載の如く、一体構成したソレノイドアッシー９の外周部に結線するか、もしくは一体構成したソレノイドアッシー９内で結線することも可能であるが、一体構成したソレノイドアッシー９が大型化されるのは容易に想像でき、エンジンへの搭載性が悪化する。またソレノイドアッシー９の胴体部に、外部との接続端子（図５ではバッテリ７との接続、図６ではモータ２との接続）を設ける必要があり、ソレノイドアッシーが複雑で高価な構成となることが容易に想像できる。
【００３３】
本実施例によると、抵抗体１１を含んだ第一のソレノイドスイッチ１０は、モータ２のメイン接点を備えた第二のソレノイドスイッチ１２と並列に接続されているために、第一のソレノイドスイッチ１０と第二のソレノイドスイッチ１２を並列に接続するための配線の役割を担う抵抗体の片方の端１１ａ、抵抗体の片方の端１１ｂ、及び配線１１ｃは、抵抗体１１の一部となり得るために細い配線を使用でき、従い抵抗体１１を含んだ第一のソレノイドスイッチ１０とモータ２のメイン接点を備えた第二のソレノイドスイッチ１２とを、複雑な構造とすること無く、一体構成とすることが可能となる。抵抗体の片方の端１１ａ、抵抗体の片方の端１１ｂ、及び配線１１ｃらの一例としては、断面積１平方mm程度の銅線であるのに対して、従来技術での配線１７は、たとえば２０平方mm程度の断面積を要した銅線を用いる必要があり、本発明の技術の有用性が伺える。図８は、本発明の第一の実施例の構造を、より具体的に示したものである。
【００３４】
本発明の第三の実施形態について、図７を用いて説明する。図中の符号１〜９及び１１〜１４は、図１の実施形態と同一であり一部説明を省略する。
【００３５】
本実施形態においては、制御装置１３から配線１６ｂを介して外部接続端子２２に結線され、外部接続端子２２に結線されたソレノイドコイルの片方の端１６ｄを介してソレノイド１６のソレノイドコイル１６ａへ通電することにより、ソレノイド１６内に磁気回路（図示せず）が形成されることにより、可動鉄心１６ｃが吸引されることにより、リンク棒８が駆動され、ピニオン５がリングギヤ６に噛み込ませ、ソレノイドコイル１６ａへの通電を停止すると、バネ（図示せず）力により、前記可動鉄心１６ｃが所定の位置に戻ることを利用し、リンク棒８を介してリングギヤ６に噛み込んだピニオン５を所定の位置に戻す。
【００３６】
モータ２への突入電流を低減するための抵抗体１１を備えた第一のソレノイドスイッチ１５は、ソレノイドコイル１５ｃと固定接点１５ａと固定接点１５ｂと可動接点１５ｄと抵抗体１１と備えた磁気回路部品（図示せず）により構成され、制御装置１３より配線１５ｅ及び外部接続端子２０及びソレノイドコイル１５ｃの片方の端１５ｊを介してソレノイドコイル１５ｃへ通電することにより磁気回路が構築され、可動接点１５ｄの移動によりサブ接点が閉じて制限された電流がモータ２へ通電される。ソレノイドコイル１５ｃへの通電を停止すると、バネ（図示せず）力により可動接点１５ｄが所定の位置に戻ることにより接点が開く。抵抗体１１の片方の端１５ｆは第二のソレノイドスイッチ１２の固定接点１２ａに接続され、もう片方の端１５ｈは第一のソレノイドスイッチ１５の固定接点１５ａに接続されている。配線１５ｇは、第一のソレノイドスイッチ１５の固定接点１５ｂと第二のソレノイドスイッチ１２の固定接点１２ｂに接続されている。
【００３７】
上記第三の実施形態の構成を用いることにより、エンジンを再始動する際には、抵抗体１１を介して制限させた電流でモータ２に通電を開始し、モータ２が回転して逆起電力が発生した後にメイン接点（１２ａ、１２ｂ、１２ｄ）を閉じてモータ２に通電するため、第一の実施形態で動作と同じく、バッテリの電圧低下を大幅に防止することができ、かつピニオン５のリングギヤ６への移送を行うソレノイド１６と、抵抗体１１を備えた第一のソレノイドスイッチ１５と、モータ２へのメイン接点を備えた第二のソレノイドスイッチ１２とを、各々分離独立して駆動することができる。
【００３８】
本発明の第四の実施形態について、図９を用いて説明する。図中の記号の内、図１の実施形態と同一である部分については、一部説明を省略する。
【００３９】
本実施形態においては、第一のソレノイドスイッチ１０のソレノイドコイル１０ｃの片方の端１０ｇは外部接続端子２０に結線され、配線１８、制御装置１３、配線１３ａ、及びハーネス１４を介してバッテリ７に接続されている。第二のソレノイドスイッチ１２のソレノイドコイル１２ｃの片方の端１２ｆは、外部接続端子２０に結線され、もう片方の端１２ｇは制御回路１９及び配線１９ｂを介して、アース接続されている。制御回路１９は配線１９ａにて外部接続端子２０に結線されており、第二のソレノイドスイッチ１２のソレノイドコイル１２ｃへの通電回路を開閉できる半導体素子（図示せず）またはリレースイッチ（図示せず）を備えており、配線１９ｂを介してアース接続されている。制御装置１３の指示によりリレー（図示せず）が駆動されることにより、外部接続端子２０にバッテリ７からの電圧が印加され、バッテリ７から第一のソレノイドスイッチ１０のソレノイドコイル１０ｃに流れると同時に、制御回路１９は配線１９ａを介して外部接続端子２０の電圧上昇をトリガーとして、ある所定の時間経過後に第二のソレノイドスイッチ１２のソレノイドコイル１２ｃへの通電回路を閉路できる様に構成されている。またエンジン始動後に制御装置１３がリレー（図示せず）の駆動を停止すると外部接続端子２０の電圧がゼロに戻り、第一のソレノイドスイッチ１０のソレノイドコイル１０ｃへの通電が停止され、且つある所定の時間以降に、制御回路１９は第二のソレノイドスイッチ１２のソレノイドコイル１２ｃへの通電回路を開路とする様に構成されている。
【００４０】
エンジンを始動する際は、制御装置１３はリレー（図示せず）を駆動して外部接続端子２０に電圧を印加し、まずピニオン５をリングギヤ側に移送するために第一のソレノイドスイッチ１０のソレノイドコイル１０ｃへ通電し、可動鉄心１０ｆが固定鉄心（図示せず）側に吸引されることによりリンク棒８を介してピニオン５がリングギヤ６に噛み込むか、または噛み込む様にリングギヤ６の端面に押し付けられる。またこの通電により発生する吸引力により可動接点１０ｄが固定接点１０ａ、１０ｂに当接することによりサブ接点が閉路となり、バッテリ７から抵抗体１１を介した電流がモータ２に通電される。この時の通電電流は抵抗体１１を介しているため、モータ２には制限された電流が流れて、モータ２は低速回転することによりエンジンのクランキングが開始される。また外部接続端子２０の電圧上昇を配線１９ａを介して検出した制御回路１９は、ある所定の時間が経過した後に第二のソレノイドスイッチ１２のソレノイドコイル１２ｃへの通電回路を閉路とすることにより、この通電により発生する吸引力により可動接点１２ｄが固定接点１２ａ、１２ｂに当接することによりメイン接点が閉路となり、バッテリ７から抵抗体１１を介した電流とは並列に電流がモータ２に通電され、モータ２は全力でエンジンをクランキングする。
【００４１】
第一の実施形態ではソレノイドアッシー９内の第一のソレノイドスイッチ１０と第二のソレノイドスイッチ１２を各々駆動するために、配線１０ｅと配線１２ｅの二本の配線で接続されていたが、上記構成とすることで制御装置１３とソレノイドアッシー９間は、一本の配線１８のみで結線される。一般的な自動車の始動電動機のソレノイドアッシーのソレノイドを駆動するための配線は１本のみであることから、自動車側の配線を変更する必要がなく、モータの突入電流を制御することによりバッテリ電圧低下による電気機器の瞬間停止を防止する抵抗体と、抵抗体を介してモータへ通電する接点と、前記抵抗体を介さずにモータへのフル通電するための接点を含んだ始動電動機装置を車両へ搭載可能となる。
【００４２】
なお上記第一の実施形態、第三の実施形態、及び第四の実施形態に基づく動作説明はアイドルストップ後のエンジンの再始動についての説明であるが、アイドルストップ後のエンジン再始動ではなく、Ｋｅｙ−Ｓｗなどによるエンジンの初回始動時にも、エンジン再始動時と同じ動作となるために、より長寿命な始動電動機を提供できる。
【符号の説明】
【００４３】
１  始動電動機
２  モータ
３  出力軸
４  一方向クラッチ
５  ピニオン
６  リングギヤ
７  バッテリ
９  ソレノイドアッシー
１０、１５  第一のソレノイドスイッチ
１２ｃ、１５ｃ、１６ａ  ソレノイドコイル
１３  制御装置
１３ａ、１５ｅ、１５ｇ、１６ｂ、１７、１８、１９ａ、１９ｂ  配線
１４  ハーネス
１５ａ、１５ｂ  固定接点
１５ｄ  可動接点
１５ｆ  抵抗体の片方の端
１５ｊ、１６ｄ  ソレノイドコイルの片方の端
１６  ソレノイド
１６ｃ  可動鉄心
１９  制御回路
２０、２１、２２  外部接続端子
【図１】
0005838070.tif 000002
【図２】
0005838070.tif 000003
【図３】
0005838070.tif 000004
【図４】
0005838070.tif 000005
【図５】
0005838070.tif 000006
【図６】
0005838070.tif 000007
【図７】
0005838070.tif 000008
【図８】
0005838070.tif 000009
【図９】
0005838070.tif 000010